(57)【要約】      （修正有）【課題】メンテナンス用の受枠及び化粧用溝蓋の構成として、簡単な機構で強固な構造を実現するとともに、溝蓋の着脱を容易にし、且つ掃除等を行える広い開口を実現することでメンテナンス性を向上させることができる排水溝被覆構造を提供する。【解決手段】受枠１と化粧用溝蓋２にそれぞれ設けた一対の支持体１４、２３に、グレーチングが有する締結プレート３５３を挿入し、ボルト締めにより、グレーチング底部と締結プレート上部が、支持体１４、２３を強く挟み込む。【選択図】図７
2014240566.tif 000002
【特許請求の範囲】
【請求項１】
排水溝の側溝または桝の上部に設置される受枠と、
当該受枠に設置可能なグレーチングと、
前記受枠に設置可能な充填部を有する化粧用溝蓋と、
を備えた排水溝被覆構造であって、
前記受枠は、
一側面から対向する側面に向かって略水平に渡された複数の梁と、
当該梁よりも上方位置であって、前記一側面上に設けられた支持体と、
を備え、
前記化粧用溝蓋は、
前記受枠の前記対向する側面側に着脱可能又は開閉可能に前記複数の梁上に設置され、
前記受枠の前記一側面に対向する前記化粧用溝蓋側面上の前記支持体と対向する位置に設けられた他の支持体を有し、
上記支持体および上記他の支持体はそれぞれ、
略水平の第一支持板と、当該第一支持板の下方に設けられた略水平の第二支持板とを備え、
前記グレーチングは、
前記受枠の前記一側面側に着脱可能に設置され、
設置した際に、上記支持体と上記他の支持体の中間点の上方位置に設けられた締結ベースと、
当該締結ベースの下方に設けられた締結プレートと、
前記締結ベースと前記締結プレートとを上下方向に締付可能なねじ機構と、
を備え、
前記締結プレートは、そのグレーチング短手方向の両端が、前記支持体および前記他の支持体のそれぞれの前記第一支持板と前記第二支持板間の空隙に挿入可能な長さを有し、
前記ねじ機構により、前記グレーチングの底部と前記締結プレートの上部とが、前記支持体の前記第一支持板と前記他の支持体の前記第一支持板とを挟持することで、前記化粧用溝蓋および前記グレーチングを受枠に固定可能であること
を特徴とする排水溝被覆構造。
【請求項２】
排水溝の側溝または桝の上部に設置される受枠と、
当該受枠に設置可能なグレーチングと、
前記受枠に設置可能な充填部を有する一対の化粧用溝蓋と、
を備えた排水溝被覆構造であって、
前記受枠は、
一側面から対向する側面に向かって略水平に渡された複数の梁を備え、
前記一対の化粧用溝蓋は、
それぞれ、前記受枠の前記一側面側、および前記対向する側面側に着脱可能又は開閉可能に前記複数の梁上に設置可能され、
当該一対の化粧用溝蓋の間には前記グレーチングが設置される空間があり、
当該空間を形成する一対の化粧用溝蓋の対向する２つの側面上には、前記梁よりも上方位置であって、且つ互いに対向する位置に一対の支持体が設けられ、
上記一対の支持体は、それぞれ、略水平の第一支持板と、当該第一支持板の下方に設けられた第二支持板とを備え、
前記グレーチングは、
前記一対の化粧用溝蓋の間に着脱可能に設置され、
設置した際に、上記一対の支持体の中間点の上方位置に設けられる締結ベースと、
当該締結ベースの下方に設けられた締結プレートと、
前記締結ベースと前記締結プレートとを上下方向に締付可能なねじ機構と、
を備え、
前記締結プレートは、そのグレーチング短手方向の両端が、前記一対の支持体のそれぞれの前記第一支持板と前記第二支持板とがなす空隙に挿入可能な長さを有し、
前記ねじ機構により、前記グレーチングの底部と前記締結プレートの上部とが、前記一対の支持体のそれぞれの前記第一支持板を挟持することで、前記一対の化粧用溝蓋と前記グレーチングが固定可能であること
を特徴とする排水溝被覆構造。
【請求項３】
前記複数の梁のうち、端部に位置する梁以外の梁は、着脱可能である
ことを特徴とする請求項１または２に記載の排水溝被覆構造。
【請求項４】
前記複数の梁のうち、端部に位置する梁以外の梁は、前記受枠の前記一側面および前記対向する側面に設けられた一対の嵌合部に上部より嵌めこむことで固定される
ことを特徴とする請求項３に記載の排水溝被覆構造。
【請求項５】
前記支持体および前記他の支持体は、前記第一支持板の端部と前記第二支持板の端部を結合する略垂直の補強壁を有する
ことを特徴とする請求項１から４のいずれかに記載の排水溝被覆構造。
【請求項６】
溝本体底部の形状に適合する形状をなし、細かな網目を有する網体からなる網底部と、
当該底部の一端から略鉛直方向に延びる荒い網目を有する網体を備えた網側部と、
当該側部の上端の設けられ、上記受枠に固定するための固定棒と、
を有するゴミ等収集網を、
さらに備えたことを特徴とする請求項１から５のいずれかに記載の排水溝被覆構造。
【発明の詳細な説明】
【技術分野】
【０００１】
本発明は、道路脇や歩道、あるいは公園、駐車場等に設けられた帯状に長く連続する排水溝の構造に関するものである。特に、メンテナンスを可能とする側溝用あるいは集水桝用の受枠及び溝蓋の構造に関するものである。
【背景技術】
【０００２】
Ｕ字型等の排水溝は、上部が大きく開口している。車道幅を大きく取るため、あるいは排水溝内へのゴミの侵入を抑え、且つ道路の景観を保つために、排水溝の上部開口幅よりも溝蓋の幅が狭くなるような排水溝の構造が提案されている（例えば、特許文献１）。
【０００３】
また、近年においては、溝蓋は単に排水を行えれば良いというだけではなく、周囲の舗装とデザインを統一し、敷設時に溝蓋が目立たず、舗装空間の美観を保つような工夫をされた溝蓋も広く使用されている。例えば、溝蓋の周囲と同じデザインのタイル等の舗装材を充填できるようにした充填部とスリット等からなる排水部を有する構造を持つ溝蓋である（例えば、特許文献２）。
【先行技術文献】
【特許文献】
【０００４】
【特許文献１】特開２００４−３４６７０１号
【特許文献２】特開平１１−１３１５７７号
【発明の概要】
【発明が解決しようとする課題】
【０００５】
側溝が長く連続する場合には、５ｍあるいは１０ｍ程度の間隔で、溝内に蓄積したゴミや砂利等を取り除くためのメンテナンス用の溝蓋を設置する必要がある。また、集水用等の桝蓋についても、メンテナンスを行えるようにする必要がある。
そして、メンテナンスを行うためには、充填部と排水部の溝蓋をすべて取り外して、大きく開口させることが必要である。このように充填部と排水部の溝蓋をすべて取り外し可能な構造とすると、これらの溝蓋を受枠に設置した際には、ガタツキが生じやすいという問題がある。特に、トラック等の重量物が通過することを考慮すると、経年的に緩みが生じない、しっかりとした構造が求められる。一旦、ガタツキが生じてしまうと、さらに緩みが生じやすくなり、自動車等が通過するたびにガタツキ音が生じ、騒音被害の問題も発生してしまう。また、盗難防止の観点からも、溝蓋と受枠をしっかりと固定できることが必要である。
【０００６】
そこで、溝蓋と受枠をしっかりと固定するためには、一般に、これらの溝蓋と受枠の締結構造を複雑なものにする必要があるが、締結構造を複雑にすると、溝蓋の取り外しおよび設置に手間がかかるため、メンテナンス性が低下してしまう。
さらに、タイル等が充填された充填部を有する溝蓋はかなり重量があり、メンテナンス性を向上させるためには、充填部を有する溝蓋をできる限り容易に取り外せる構造が求められている。
本発明は上記の課題を解決するためになされたものであり、経年的にも強固な締結状態を確保できると同時に、メンテナンスが容易な構成を提案するものである。
【課題を解決するための手段】
【０００７】
本発明の請求項１に係る排水溝被覆構造は、
排水溝の側溝または桝の上部に設置される受枠と、当該受枠に設置可能なグレーチングと、前記受枠に設置可能な充填部を有する化粧用溝蓋と、を備え、
前記受枠は、一側面から対向する側面に向かって略水平に渡された複数の梁と、当該梁よりも上方位置であって、前記一側面上に設けられた支持体と、を備え、
前記化粧用溝蓋は、前記受枠の前記対向する側面側に着脱可能又は開閉可能に前記複数の梁上に設置され、前記受枠の前記一側面に対向する前記化粧用溝蓋側面上の前記支持体と対向する位置に設けられた他の支持体を有し、上記支持体および上記他の支持体はそれぞれ、略水平の第一支持板と、当該第一支持板の下方に設けられた略水平の第二支持板とを備え、
前記グレーチングは、前記受枠の前記一側面側に着脱可能に設置され、設置した際に、上記支持体と上記他の支持体の中間点の上方位置に設けられた締結ベースと、当該締結ベースの下方に設けられた締結プレートと、前記締結ベースと前記締結プレートとを上下方向に締付可能なねじ機構と、を備え、
前記締結プレートは、そのグレーチング短手方向の両端が、前記支持体および前記他の支持体のそれぞれの前記第一支持板と前記第二支持板間の空隙に挿入可能な長さを有し、
前記ねじ機構により、前記グレーチングの底部と前記締結プレートの上部とが、前記支持体の前記第一支持板と前記他の支持体の前記第一支持板とを挟持することで、前記化粧用溝蓋および前記グレーチングを受枠に固定可能であることを特徴とするものである。
【０００８】
本発明の請求項２に係る排水溝被覆構造は、
排水溝の側溝または桝の上部に設置される受枠と、当該受枠に設置可能なグレーチングと、前記受枠に設置可能な充填部を有する一対の化粧用溝蓋と、を備え、
前記受枠は、一側面から対向する側面に向かって略水平に渡された複数の梁を備え、
前記一対の化粧用溝蓋は、それぞれ、前記受枠の前記一側面側、および前記対向する側面側に着脱可能又は開閉可能に前記複数の梁上に設置可能され、当該一対の化粧用溝蓋の間には前記グレーチングが設置される空間があり、当該空間を形成する一対の化粧用溝蓋の対向する２つの側面上には、前記梁よりも上方位置であって、且つ互いに対向する位置に一対の支持体が設けられ、
上記一対の支持体は、それぞれ、略水平の第一支持板と、当該第一支持板の下方に設けられた第二支持板とを備え、
前記グレーチングは、  前記一対の化粧用溝蓋の間に着脱可能に設置され、設置した際に、上記一対の支持体の中間点の上方位置に設けられる締結ベースと、当該締結ベースの下方に設けられた締結プレートと、前記締結ベースと前記締結プレートとを上下方向に締付可能なねじ機構と、を備え、
前記締結プレートは、そのグレーチング短手方向の両端が、前記一対の支持体のそれぞれの前記第一支持板と前記第二支持板とがなす空隙に挿入可能な長さを有し、前記ねじ機構により、前記グレーチングの底部と前記締結プレートの上部とが、前記一対の支持体のそれぞれの前記第一支持板を挟持することで、前記一対の化粧用溝蓋と前記グレーチングが固定可能であることを特徴とするものである。
【０００９】
本発明の請求項３に係る排水溝被覆構造は、
前記複数の梁のうち、端部に位置する梁以外の梁は、前記受枠の前記一側面および前記対向する側面に設けられた一対の嵌合部に上部より嵌めこむことで固定されることを特徴とするものである。
【００１０】
本発明の請求項４に係る排水溝被覆構造は、
前記複数の梁のうち、端部に位置する梁以外の梁は、着脱可能であることを特徴とするものである。
【００１１】
本発明の請求項５に係る排水溝被覆構造は、
前記支持体および前記他の支持体は、前記第一支持板の端部と前記第二支持板の端部を結合する略垂直の補強壁を有する  ことを特徴とするものである。
【発明の効果】
【００１２】
本発明に係る排水溝被覆構造は上記のように構成されるため、簡素な機構により複数の溝蓋同志、さらには受枠とをしっかりと固定できるため、ガタツキのない強固な構造を実現できるとともに、簡単な操作で複数の溝蓋の着脱が可能となり、メンテナンスを行うのに好適な排水溝被覆構造を提供するものである。
【００１３】
また、複数の溝蓋を取り外した際には、受枠内部は大きく開口するため、掃除等が容易に行えるという観点からも、メンテナンス性が高い排水溝被覆構造を実現している。
さらには、簡単な締結機構により、盗難防止効果も期待できる。
【図面の簡単な説明】
【００１４】
【図１】本発明の実施の形態１に係る受枠の上面図と部分拡大斜視図である。
【図２】本発明の実施の形態１に係る化粧用溝蓋の上面図と部分拡大斜視図である。
【図３】本発明の実施の形態１に係る受枠に化粧用溝蓋を設置した際の上面図である。
【図４】本発明の実施の形態１に係る受枠に化粧用溝蓋を設置した際の断面図である。
【図５】本発明に係るグレーチング溝蓋の上面図と部分拡大図である。
【図６】本発明の実施の形態１に係る受枠にグレーチング溝蓋を取付ける方法を説明するための上面図である。
【図７】本発明の実施の形態１に係る受枠にグレーチング溝蓋を取付ける方法を説明するための締付前断面図である。
【図８】本発明の実施の形態１に係る受枠にグレーチング溝蓋を取付ける方法を説明するための締付前断面図である。
【図９】本発明の実施の形態２に係る受枠に化粧用溝蓋を設置した際の断面図である。
【図１０】本発明の実施の形態２に係る受枠から化粧用溝蓋を開いた際の断面図である。
【図１１】本発明の実施の形態３に係る受枠に化粧用溝蓋を設置した際の断面図である。
【図１２】本発明の実施の形態３に係る受枠から化粧用溝蓋を開く手順の断面図である。
【図１３】本発明の実施の形態４に係る受枠に左右の化粧溝蓋とグレーチング溝蓋を取付けた際の上面図である。
【図１４】本発明の実施の形態４に係る受枠に左右の化粧溝蓋とグレーチング溝蓋を取付けた際の断面図である。
【図１５】本発明の実施の形態５に係る受枠において、中間梁を取り外した際の上面図である。
【図１６】本発明の実施の形態５に係る受枠において、中間梁を取付けた際の上面図と部分拡大斜視図である。
【図１７】本発明の実施の形態６に係るゴミ等収集網を溝内に設置した際の上面図である。
【図１８】本発明の実施の形態６に係るゴミ等収集網の斜視図である。
【発明を実施するための形態】
【００１５】
本発明に係る溝の被覆構造の構成等に関して、以下において、図面を用いて説明する。なお、以下の説明は本発明に関する良好な一例を開示するものであり、本発明が以下の実施の形態に限定されるものではない。例えば、本実施の形態において開示する発明品の材料や寸法等は、良好な一例を示すに過ぎず、その他の可能性を否定するものでは無い。
なお、本発明に係る溝の被覆構造は、側溝用の掃除用溝蓋にも、集水用等の桝にも適用できるが、以下では、側溝用の掃除用溝蓋を例に説明を行う。以下で述べる構成は、基本的に集水用等の桝にも適用可能であり、また、以下に述べる発明の効果は、集水用等の桝においても同様に生じるものである。
【００１６】
実施の形態１．
本発明の実施の形態１に係る溝の被覆構造は、主に受枠１、化粧用溝蓋２、およびグレーチング３からなるもである。以下では、それぞれの構成について説明する。
まず、図１を用いて、受枠１の構成を説明する。受枠１は、左右の側板１１Ｌ、１１Ｒと、それらを連結する前後端（図１においては上下端）に配置される２本の梁１２により、その枠組みが構成されている。左右の側板１１Ｌ、１１Ｒと２本の梁１２とは、溶接等により強固に接合されている。
【００１７】
左右の側板１１Ｌ、１１Ｒは、最下部でお互いが向き合う方向に直角に折れ曲がり、受枠１の底面の一部を構成する。その中間部分である受枠１の底面の中央部には、雨水等の排水がＵ字溝等の排水溝本体に流入するための開口１５が開いている。
また、２本の梁１２の間には、複数の中間梁１３が、梁１２と同じ高さに設けられる。
そして、左側の側板１１Ｌには、複数の支持体１４が設けられる。この支持体１４が設けられる高さは、中間梁１３よりも上方に（図１においては紙面手前側に）設けられる。なお、図１においては、各中間梁１３の直上付近に各支持体１４を設けているが、中間梁１３と支持体１４の位置は、前後にずれていても良い。
【００１８】
支持体１４の構成に関しては、特に図１において拡大図を示している。支持体１４は、左側の側板１１Ｌに溶接等により固定されるベース壁１４１と、ベース壁１４１の上縁から伸びる第一支持板１４２、およびベース壁１４１の下縁から伸びる第一支持板１４３とにより、断面コの字状の構造を成し、この断面コの字状の構造の奥側が補強壁１４４によって塞がれている。また、第一支持板１４２から上方に向かって支持壁１４５が形成されている。支持体１４はプレス加工や金属の角材の切削加工等により形成される。
【００１９】
次に、図２を用いて、化粧用溝蓋２の構成について説明する。
化粧用溝蓋２は、上方に開口を持つ箱状体である充填用枠体２１、この充填用枠体２１に充填されるタイルやモルタル等の充填部材２２、および、充填用枠体２１の左側側面に設けられた複数の支持体２３とからなる。支持体２３の形状は、支持体１４と合同且つ左右対称の形状である。複数の支持体２３のそれぞれは、複数の支持体１４のそれぞれと対向した位置に設けられている。
【００２０】
この化粧用溝蓋２を受枠１に設置した状態を図３及び図４に示す。図３は上から見た図であり、図４は、図３におけるＡ−Ａ断面図である。
図４に示すように、受枠１は、排水溝４上に載置される。受枠１の左右の側板１１Ｌ、１１Ｒの下方の形状に関しては、排水溝４の上部の形状に適合するようにすればよい。したがって、図４に示した左右の側板１１Ｌ、１１Ｒの下方の形状は一例である。
【００２１】
左右の側板１１Ｌ、１１Ｒの下方にはアンカーとそれに挿入されたボルトが適宜設けられ、ボルトを締め付けることで受枠１と排水溝４とが接合される。また、周囲にコンクリートが打設された際には、アンカーによって受枠１とコンクリートが強く接合される。なお、上面図である図１および図３においては、このアンカーとボルトの記載は省略している。
このように、受枠１が排水溝４上に載置された後に、化粧用溝蓋２が受枠１に設置される。
【００２２】
化粧用溝蓋２は、受枠１の２本の梁１２および複数の中間梁１３上に置かれる。そして、化粧用溝蓋２が置かれた状態において、受枠１に設けられた複数の支持体１４と、化粧用溝蓋２に設けられた複数の支持体２３のそれぞれは、同一の高さ、同一の前後位置で対向するようになる。
【００２３】
次に図５を用いて、グレーチング３の構成について説明する。
グレーチング３は、左右端に設置される２本のサイドバー３１、２本のサイドバー３１間に設けられる複数のベアリングバー３２、前後端に設置される２本のエンドバー３３、および、複数のクロスバー３４で枠組みが構成される。また、前後端の近くには、締結部３５が設けられている。なお、グレーチング３に取り付ける締結部３５の数は、この例では２個であるが、より強固な構成を実現することが必要であれば、３個以上に増やしても良い。逆に、全長が短い場合には、一個の締結部３５で十分な場合も考えられる。この締結部３５に関しては、図５に拡大図を示している。
【００２４】
締結部３５の締結ベース３５１は、何本かのベアリングバー３２が途中で切られることで形成されるスペースに設けられ、切られたベアリングバー３２の端部と溶接等により接合される。あるいは、締結ベース３５１の両側に配置されたベアリングバー３２と接合しても良い。
締結ベース３５１の中央付近には、ボルト３５２が挿入できる開口が開いている。この開口に上方からボルト３５２が挿入される。
【００２５】
また、締結プレート３５３は、グレーチング３の幅よりも少し小さめの幅を持つ長方形状のプレートであり、その中央部には開口があり、その開口の直下にナット３５４が設けられている。
締結ベース３５１の下方において、ナット３５４に、ボルト３５２が軽く捻じ込まれる。この状態が図５に示した拡大図の状態である。
【００２６】
次に、図３および図４で示した受枠１に化粧用溝蓋２を設置した構成に、グレーチング３を取り付ける手順について、図６から図８を用いて説明する。
まず、図６に示すように、締結プレート３５３が支持体１４および２３に当たらないように、グレーチング３を少し前方（図６における下方）にずらした位置で、受枠１に入れる。この際に、支持体１４および２３の支持壁１４５は、グレーチング３の左右位置を決める位置決めの目安になる。また、着脱時にグレーチング３の溝内への落下を防止する役割も持つ。
【００２７】
そして、図６の白抜き矢印の方向に押し込む。押し込む際には、グレーチング３の高さを調整して、締結プレート３５３が支持体１４および２３の断面コの字状開口に入るようにする。そして、支持体１４および２３の補強壁１４４に当たるまで、グレーチング３を押し込む。この押し込みきった状態でのＡ−Ａ断面を図７に示す。締結プレート３５３が支持体１４および２３の第二支持板１４３の上に乗った状態になっている。
【００２８】
この状態から、ボルト３５２を締め付けていくと、締結ベース３５１と締結プレート３５３が徐々に近づく。そして、ボルト３５２を強く締付けると、図８に示すように、グレーチング３の底部と締結プレート３５３の上部が、支持体１４および２３の第一支持板１４２を上下から強く挟み込むようにして固定される。
【００２９】
上記でボルト３５２を締め付けていく際には、締結プレート３５３を手等で固定する必要は無い。支持体１４および２３のベース壁１４１と補強壁１４４が、締結プレート３５３の回転を防止するためである。
【００３０】
なお、本実施の形態では、支持体１４および２３を、グレーチング３の締結部３５が無い部分にも設けている。これは、支持体１４および２３の第一支持板１４２の上面が、グレーチング３の底部を支持し、同時に、グレーチング３の底部が、支持体２３を介して、化粧用溝蓋２を押し下げる方向に力を与えることで、受枠１、化粧用溝蓋２およびグレーチング３が、全体として強固且つ安定な状態を実現するためである。
【００３１】
本実施の形態に係る溝の被覆構造は、上記のように構成されているので、極めて簡単な操作で、化粧用溝蓋２とグレーチング３とを受枠１に確実に固定できる。すなわち、本実施の形態においては、わずか２個のボルト３５２を締めるだけで、化粧用溝蓋２とグレーチング３の両方を一度に受枠１に固定できる。
また、同様に簡単な動作で締結状態を解除して、化粧用溝蓋２とグレーチング３とを取り外して、溝の清掃等のメンテナンスを行うことができる。
【００３２】
強度面においては、グレーチング３の底部と締結プレート３５３の上部が、支持体１４および２３の第一支持板１４２を上下から面で挟み込むんで固定するので、非常に強固な構造を実現できる。この点に関して、以下に詳細に説明する。
【００３３】
まず、化粧用溝蓋２は、充填用枠体２１に充填部材２２が詰め込まれているため、グレーチング３に比較して、非常に大きな重量を有している。そのため、自動車等が通過した際には、グレーチング３に比較して、化粧用溝蓋２の上下動はわずかである。この化粧用溝蓋２の重量を利用して、グレーチング３をしっかりと固定できる。
【００３４】
ただし、自動車等が通過した際の化粧用溝蓋２の上下動はわずかであるとはいえ、化粧用溝蓋２の重量が大きいため、化粧用溝蓋２とグレーチング３との固定部である支持体２３に掛かるモーメントは大きなものになる。もし、この固定部が単純なボルト締めで固定されていたならば、上記の大きなモーメントにより、ボルト締め部に曲がりや歪が生じやすい。
【００３５】
一方、本実施の形態においては、グレーチング３の底部と締結プレート３５３の上部という面同士で、固定部である支持体２３の第一支持板１４２を上下からしっかりと挟み込んでいるため、上記の大きなモーメントが生じても、挟み込んでいる面積全体にモーメントは分散するので、歪等が生じにくくなる。それだけではなく、ボルト３５２を締め付けた際には、グレーチング３、支持体２３の第一支持板１４２、および締結プレート３５３が三位一体となり、実質的にそれぞれの厚みが合算された非常に厚い構造体となるため、そもそも歪や曲がりは極めて生じにくくなっている。
【００３６】
このように、化粧用溝蓋２が充填部材２２が詰め込まれた重量物であることを利用して、グレーチング３をしっかりと固定できると同時に、化粧用溝蓋２とグレーチング３との接続部分を面構造とすることで、その部分を著しく強化できる。
【００３７】
以上から分るように、２本のボルト締めを行うだけで、受枠１、化粧用溝蓋２およびグレーチング３という３体をしっかりと固定できる。したがって、化粧用溝蓋２およびグレーチング３の着脱が容易となり、メンテナンス性が向上する。それとともに、自動車等の重量物が通過しても、ガタツキが生じにくい強固な構造を実現できるため、静音性が向上し、住宅街等にも最適な構造である。
【００３８】
着脱の容易性に関しては、先に述べたように、支持体１４および２３のベース壁１４１と補強壁１４４が、締結プレート３５３の回転を防止するため、ボルト３５２を締め付けていく際、あるいは緩める際にも、締結プレート３５３を手等で固定する必要は無いため、一層着脱が容易になる。
【００３９】
メンテナンス性に関しては、化粧用溝蓋２およびグレーチング３の着脱が容易という点だけではなく、受枠１に設けられたグレーチング３の支持機構が支持体１４だけであり、支持体１４は受枠１の側板端部に設けられるため、溝内の掃除等の邪魔をしないという点もある。
また、ボルトを締めるだけで、グレーチング３の盗難を困難にするというメリットもある。
【００４０】
実施の形態２．
本発明の実施の形態２に係る溝の被覆構造は、図９に示すように、化粧用溝蓋２の一端が受枠に回転可能に固定されているという点が、実施の形態１と異なる。
すなわち、受枠１の前後端部付近に、２つの回転可能な固定部である回転軸部５が設けられ、受枠１に対して、化粧用溝蓋２の動きが制約されている。
【００４１】
溝内のメンテナンスを行う際には、２つのボルト３５２を緩めて、グレーチング３を取り外し、その後に、図１０に示すように、化粧用溝蓋２を右側に引き上げる。
化粧用溝蓋２は数十キログラムにもおよぶ重量物であるため、引き上げる際にはかなり大きな力が必要であるが、回転機構を用いずに化粧用溝蓋２を取り除くことに比べると、多少なりとも開閉作業は容易になる。
【００４２】
実施の形態３．
本発明の実施の形態３に係る溝の被覆構造は、図１１に示すように、化粧用溝蓋２の一端が受枠１と開閉用ガイドアーム６によって、接続されているという点が、実施の形態１と異なる。
すなわち、受枠１の前後端部付近に、２本の開閉用ガイドアーム６が設けられ、受枠１および化粧用溝蓋２と開閉用ガイドアーム６は、それぞれ、ガイドアーム回転軸部７、８によって結合している。
【００４３】
図１２は、化粧用溝蓋２を開ける際の動作を示している。溝内のメンテナンスを行う際には、２つのボルト３５２を緩めて、グレーチング３を取り外し、その後に、図１２に示すように、化粧用溝蓋２を右側を少し持ち上げた後に、右側手前に引き上げる。図１１に示すように、化粧用溝蓋２の上面右端部に引き上げ用の鉤穴を設けておけば、先端が鉤状（フック状）の工具を用いて容易に作業を進めることができる。
数十キログラムにもおよぶ重量物である化粧用溝蓋２であっても、このように、回転機構を利用して引き上げれば、比較的容易に小さな力で引き上げることが可能であり、メンテナンスをより簡便にできる。特に、実施の形態２で示した回転機構に比べて、化粧溝蓋２の移動距離が長く、且つ化粧用溝蓋２の傾きを大きく変えずに上方に引き上げるため、小さな力で且つ安定に引き上げることができる。同様に、化粧用溝蓋２を閉める際にも、小さな力で且つ安定に、化粧用溝蓋２を閉めることができる。
そして、開閉用ガイドアーム６により、常に正しい位置に化粧用溝蓋２を閉めることができる。開閉用ガイドアーム６が無く、重量物である化粧用溝蓋２を受枠１上に設置する場合には、一旦、受枠１上に大まかな位置決めで仮置きし、その後、化粧用溝蓋２の位置を微調することになるが、数十キログラムの化粧用溝蓋２をずらして微調することは容易では無く、また、受枠１を傷つけたり破損させたりするリスクも伴うことになる。
さらに、実施の形態２で開示した構成に比べて、より自然で力を入れやすい姿勢および動作で、化粧用溝蓋２を引き上げることができるため、作業性および安全性を向上させている。
【００４４】
また、化粧用溝蓋２が常に上を向いている、すなわち、充填用枠体２１の開口面が下を向かないため、タイルやモルタル等の充填部材２２が抜け落ちることが無い。モルタル等の充填部材２２は、経年変化によって充填用枠体２１との固定が弱くなり、充填用枠体２１の開口面が下を向くと、充填部材２２の自重により、充填用枠体２１から抜け落ちることがあるため、本実施の形態のように、化粧用溝蓋２が常に上を向いていることは、大きな事故を起こさない点で非常に重要である。
【００４５】
実施の形態４．
本発明の実施の形態４に係る溝の被覆構造は、図１３および図１４に示すように、グレーチング３を中央に位置する場合である。すなわち、化粧用溝蓋９Ｌおよび９Ｒは受枠１の左右端に設置され、その間の空間にグレーチング３が設置されている。そして、支持体２３は、化粧用溝蓋９Ｌの右側面と、化粧用溝蓋９Ｒの左側面に設けられている。したがって、受枠１には支持体は設けられていない。その他の構成は、実施の形態１と同様である。
【００４６】
本構成においては、左右の化粧用溝蓋９Ｌ、９Ｒのそれぞれの側面に対向配置される支持体２３と、グレーチング３の締結部３５とが、ボルト３５２を締付けることで強固に結合する。したがって、実施の形態１と同様に、化粧用溝蓋９Ｌ、９Ｒが重量物であることを利用して、極めて簡単な操作で、左右の化粧用溝蓋９Ｌ、９Ｒとグレーチング３が着脱可能であると同時に、左右の化粧用溝蓋９Ｌ、９Ｒとグレーチング３を設置時には、ガタツキのない強固な構造となっている。
【００４７】
なお、左右の化粧用溝蓋９Ｌ、９Ｒについては、実施の形態２または３と同様に、回転軸部や開閉用のガイドアームをそれぞれに設けても良い。特に、実施の形態３で示した開閉用のガイドアームを設ければ、重量物である化粧用溝蓋９Ｌと９Ｒを、自然で力を入れやすい動作で、且つ比較的容易に小さな力で引き上げることが可能であり、メンテナンスをより簡便にできる。また、開閉時に化粧用溝蓋９Ｌおよび９Ｒが常に上を向いているため、タイルやモルタル等の充填部材２２が抜け落ちるといった重大事故を防止することができる。
【００４８】
実施の形態５．
本発明の実施の形態５に係る受枠１０の構造は、図１５および図１６に示すように、中央梁１７が着脱可能な構成となっている。その他の構成に関しては、実施の形態１における受枠１と同様の構成である。
中央梁１７を着脱可能とするために、図１５に示すように、受枠１０の左右の側板１１Ｌと１１Ｒ上の互いに対向する位置に、一対の嵌合部１６を複数対設けている。図１６に示すように、中央梁１７は断面コの字状の形状を有しており、一対の嵌合部１６に上部から嵌めこむことができる。そして、実施の形態１〜４における中央梁１３と同様に、化粧用溝蓋２または、９Ｌ、９Ｒを設置することができる。
【００４９】
中央梁１７を着脱可能とすることによって、溝内の清掃等のメンテナンスをさらに簡単に行うことができる。すなわち、化粧用溝蓋２または、９Ｌ、９Ｒ、およびグレーチング３を受枠から取り外した後に、すべての中央梁１７を取り外すと、図１５のように、溝に通じる開口１５上には何も無い状態になる。したがって、ゴミや砂利を取り除いたり、溝内にホースを通して洗浄する等の作業が極めて容易に行える。
【００５０】
この特長に関しては、実施の形態１から３において示したように、グレーチング３を設置する支持体１４が、側板１１Ｌに沿ってだけ設けられ、受枠の中央部にグレーチング３を支持する部分を設ける必要が無いことも当然に寄与している。さらに、実施の形態４においては、グレーチング３の支持体を受枠に全く設ける必要が無いため、より一層の効果がある。
なお、中央梁１７の着脱機構は、本実施の形態において示した嵌めこみ機構に限らず、ねじ止め等の機構であっても良い。
【００５１】
実施の形態６．
本実施の形態は、メンテナンスをより容易にするためのゴミ等収集網に関するものである。このゴミ等収集網は、基本的には、どのような溝にも配置可能であり、大きなゴミ等を収集し、それらを簡単に廃棄することができる。
ここでは、実施の形態５に示した受枠１０にゴミ等収集網を取付ける場合を例にとって、以下に説明する。
【００５２】
図１７は、受枠１０の嵌合部１６の上部にゴミ等収集網１０を固定するための溝である、ゴミ等収集網固定部１６１を設け、そこにゴミ等収集網１０を固定し、Ｕ字溝等に設置した際の上面図である。また、図１８は、ゴミ等収集網１０の斜視図である。
ゴミ等収集網１０は、図１８に示すように、網底部４１、網側部４２および固定棒４３から構成される。
【００５３】
網底部４１は、溝本体に設置される部分であり、溝本体の形状に沿う形状となっている。例えば、溝本体の底面が平面ではなく、丸みを有する形状の場合もある。その場合には、網底部４１は底面に沿うように、中央から外にいくにしたがって盛り上がった丸みを有する形状になっている。すなわち、網底部４１は溝本体の底面にピッタリと接するように配置できる。
そして、網底部４１は、小さなゴミも捕捉できるように細かな目の網で構成されている。
【００５４】
網側部４２は、網底部４１の一端から、鉛直方向に立ち上がっている。下半分は、大きなゴミ等が捕捉できるように、荒い目の網になっている。荒い目の網であるため、雨水等の流れを妨げることは無い。
網側部４２の上部付近には、左右に固定棒４３が設けられている。固定棒４３は、溝形状を有するゴミ等収集網固定部１６１に嵌めこみ可能な形状となっており、嵌めこむことで、ゴミ等収集網１０全体を嵌合部１６に固定できる。
【００５５】
ゴミ等収集網１０は、固定棒４３をゴミ等収集網固定部１６１から外して、ゴミ等収集網１０全体を溝から取り出せるため、廃棄は容易である。特に、網底部４１を設けたことで、そこに捕捉されたゴミ等を容易に廃棄できる。
また、実施の形態５に示したように、嵌合部１６の上部には、中間梁１７が設置されるため、ゴミ等収集網１０の網側部４２や固定棒４３は、この中間梁１７によって隠されるため、地上からは視認できず、見かけの観点からもすっきりとした構成になる。
【符号の説明】
【００５６】
１  受枠
２  化粧用溝蓋
３  グレーチング溝蓋
４  Ｕ字溝
５  回転軸部
６  開閉用ガイドアーム
７  ガイドアーム回転軸部（受枠側）
８  ガイドアーム回転軸部（化粧用溝蓋側）
９Ｌ  左側化粧用溝蓋
９Ｒ  右側化粧用溝蓋
１０  受枠
１１Ｌ  側板（左側）
１１Ｒ  側板（右側）
１２  梁
１３  中間梁
１４  支持体
１５  開口
１６  嵌合部
１７  中間梁
２１  充填用枠体
２２  充填部材
２３  支持体
２４  引上げ用鉤穴
３１  サイドバー
３２  ベアリングバー
３３  エンドバー
３４  クロスバー
３５  締結部
４０  ゴミ等収集網
４１  網底部
４２  網側部
４３  固定棒
１４１  ベース壁
１４２  第１支持板
１４３、１４６  第２支持板
１４４  補強壁
１４５  支持壁
１６１  ゴミ等収集網固定部
３５１  締結ベース
３５２  ボルト
３５３  締結プレート
３５４  ナット
【図１】
2014240566.tif 000003
【図２】
2014240566.tif 000004
【図３】
2014240566.tif 000005
【図４】
2014240566.tif 000006
【図５】
2014240566.tif 000007
【図６】
2014240566.tif 000008
【図７】
2014240566.tif 000009
【図８】
2014240566.tif 000010
【図９】
2014240566.tif 000011
【図１０】
2014240566.tif 000012
【図１１】
2014240566.tif 000013
【図１２】
2014240566.tif 000014
【図１３】
2014240566.tif 000015
【図１４】
2014240566.tif 000016
【図１５】
2014240566.tif 000017
【図１６】
2014240566.tif 000018
【図１７】
2014240566.tif 000019
【図１８】
2014240566.tif 000020